(57)【特許請求の範囲】
【請求項１】
貫通開口部を有する環状の接続フランジ（２１）と、前記貫通開口部を選択的に閉鎖又は開放する閉鎖部材（２２）とを備えるバルク材容器（２）用の閉鎖具（３）を備える閉鎖装置であって、
前記バルク材容器（２）の容器壁（２０）は、前記接続フランジ（２１）に締結することができ、
前記閉鎖部材（２２）は、前記接続フランジ（２１）の前記貫通開口部を閉鎖する閉鎖動作中に、前記接続フランジ（２１）の内面のシール領域から汚染物質を剥離することができるように、周縁として形成される第１の剥離要素（３４．１）を備えることを特徴とする、閉鎖装置。
【請求項２】
周縁の第２の剥離要素（３４．２）が、前記貫通開口部の領域において前記接続フランジ（２１）に配置され、前記閉鎖部材（２２）によって前記貫通開口部を閉鎖する閉鎖動作中に、前記第２の剥離要素（３４．２）によって、前記閉鎖部材（２２）の表面から汚染物質を剥離することができる、請求項１に記載の閉鎖装置。
【請求項３】
前記閉鎖部材（２２）は、円錐状部分（２２．１）と、前記円錐状部分（２２．１）に隣接する円筒状部分（２２．２）とを備え、
前記第１の剥離要素（３４．１）は、前記円錐状部分（２２．１）から離れた前記円筒状部分（２２．２）の端部領域に配置されている、請求項１又は２に記載の閉鎖装置。
【請求項４】
前記周縁の第２の剥離要素（３４．２）は、前記閉鎖部材（２２）が前記貫通開口部を閉鎖する前記閉鎖部材（２２）の閉鎖位置で、前記第１の剥離要素（３４．１）より前記閉鎖部材（２２）の前記円錐状部分（２２．１）の近くに位置する前記円筒状部分（２２．２）の領域と対向して前記第２の剥離要素（３４．２）が位置するように、前記接続フランジ（２１）に配置されている、請求項３に記載の閉鎖装置。
【請求項５】
前記閉鎖部材（２２）が前記貫通開口部を閉鎖する前記閉鎖部材（２２）の閉鎖位置で、前記接続フランジ（２１）と前記閉鎖部材（２２）との間に封止を提供するために、前記閉鎖具（３）は、弾性変形可能な材料から作製された環状の閉鎖シール（３５、３６）を備え、
前記閉鎖シール（３５、３６）は、前記接続フランジ（２１）の内側領域に配置されている、請求項１〜４のいずれか一項に記載の閉鎖装置。
【請求項６】
少なくとも前記閉鎖部材（２２）又は前記接続フランジ（２１）は、少なくとも部分的に、弾性変形可能ではない材料からなる、請求項１〜５のいずれか一項に記載の閉鎖装置。
【請求項７】
前記第１の剥離要素（３４．１）及び前記周縁の第２の剥離要素（３４．２）の少なくとも一方は、弾性変形可能な材料からなる、請求項２に記載の閉鎖装置。
【請求項８】
前記第１の剥離要素（３４．１）は、前記閉鎖部材（２２）の閉鎖位置でかつ前記バルク材容器（２）の前記閉鎖具（３）が接続部（６）に接続されていない状態で、半径方向圧縮応力を受け、それにより、前記第１の剥離要素（３４．１）は、前記接続部（６）のアクティブ領域（３２）に対して押圧される、請求項１〜７のいずれか一項に記載の閉鎖装置。
【請求項９】
請求項１〜８のいずれか一項に記載の閉鎖装置用の閉鎖具を閉鎖する方法であって、
前記閉鎖部材（２２）は、前記貫通開口部に対して垂直な移動方向に、前記閉鎖部材（２２）の、前記貫通開口部を開放したままにする開放位置から前記貫通開口部を閉鎖する閉鎖位置まで動かされ、
前記閉鎖部材（２２）に配置された前記第１の剥離要素（３４．１）により、前記接続フランジ（２１）の内面のシール領域から汚染物質が剥離される、方法。
【請求項１０】
前記接続フランジ（２１）の内側に配置された第２の剥離要素（３４．２）により、前記閉鎖部材（２２）の外面からもまた汚染物質が剥離される、請求項９に記載の方法。
【請求項１１】
前記接続フランジ（２１）が閉鎖された後、前記閉鎖部材（２２）は、開放位置の方向に再度動かされ、その後、閉鎖位置に戻り、そのため、前記接続フランジ（２１）の表面から、更なる汚染物質が剥離され、
この動作は、２回以上繰り返される、請求項９に記載の方法。
【請求項１２】
接続フランジ（２１）が閉鎖された後、前記閉鎖部材（２２）は、開放位置の方向に再度動かされ、その後、閉鎖位置に戻り、そのため前記閉鎖部材（２２）の表面から、更なる汚染物質が剥離され、
この動作は、２回以上繰り返される、請求項１０に記載の方法。
【請求項１３】
請求項１〜８のいずれか一項に記載の閉鎖具（３）を有し、容器壁（２０）も備えるバルク材容器（２）であって、前記容器壁（２０）は、前記閉鎖具（３）の前記接続フランジ（２１）に締結されていることを特徴とする、バルク材容器。
【請求項１４】
バルク材容器（２）の閉鎖具（３）をドッキングし、前記バルク材容器（２）からバルク材を空け、また前記バルク材容器（２）をバルク材で充填するドッキング装置（１）であって、
ハウジング（５）と、前記閉鎖具（３）を接続する接続部（６）と、前記閉鎖具（３）を作動させる閉鎖具作動装置（１３、１４）とを備え、
前記閉鎖具作動装置（１３、１４）は、閉鎖具作動要素（１４）と調整装置（１３）とを備え、前記閉鎖具作動要素（１４）は、前記調整装置（１３）により移動方向において閉鎖位置と開放位置との間で選択的に移動可能であり、
前記ドッキング装置（１）は、前記ハウジング（５）と前記閉鎖具作動要素（１４）との間に封止を提供する役割を果たすシール（２６）を備え、
前記シール（２６）は、前記閉鎖位置でかつ前記バルク材容器（２）の前記閉鎖具（３）が前記接続部（６）に接続されていない状態で、半径方向圧縮応力を受け、それにより、前記シール（２６）は、前記接続部（６）のアクティブ領域（３２）に対して押圧され、
前記シール（２６）は、環状であるように構成され、前記閉鎖具作動要素（１４）の外周部の周囲に配置されている、ドッキング装置。
【請求項１５】
前記シール（２６）は、アクティブ領域（３０）を有するシール部分（２９）を備え、
前記シール部分（２９）の前記アクティブ領域（３０）は、前記接続部（６）の前記アクティブ領域（３２）の上に押圧される、請求項１４に記載のドッキング装置。
【請求項１６】
前記シール（２６）は、円形リングの形態の基部（２８）を有し、前記シール部分（２９）は、円形リングの形態で構成されかつ前記基部（２８）に一体的に形成され、前記移動方向に対して半径方向外側に延在し、
円形リングの形態である前記シール部分（２９）の外径は、前記接続部（６）の内側の表面部分の内径より大きく、前記表面部分は、前記閉鎖具作動要素（１４）の前記閉鎖位置で前記シール部分（２９）と対向して位置し、前記シール部分（２９）と封止するように協働する、請求項１５に記載のドッキング装置。
【請求項１７】
前記接続部（６）の前記内側の前記表面部分は、弾性変形可能な材料から作製された封止要素（２７）によって形成され、
前記封止要素（２７）は前記アクティブ領域（３２）を備える、請求項１６に記載のドッキング装置。
【請求項１８】
前記アクティブ領域（３２）は、前記移動方向に対して平行に向けられている、請求項１４に記載のドッキング装置。
【請求項１９】
前記シール（２６）は、前記閉鎖具作動要素（１４）により接続フランジ（２１）の貫通開口部を閉鎖する閉鎖動作中に、前記接続フランジ（２１）の表面から汚染物質を剥離することができるように、剥離要素（３４．１）を備える、請求項１４〜１８のいずれか一項に記載のドッキング装置。
【請求項２０】
前記ドッキング装置（１）に接続された前記バルク材容器（２）の中身空け動作及び／又は充填動作を補助するために、前記ドッキング装置（１）を振動状態にすることができる少なくとも１つの振動ユニット（１５）を備え、
前記振動ユニット（１５）は、前記ハウジングの外側に締結されるか又は締結することができる、請求項１４〜１９のいずれか一項に記載のドッキング装置。
【請求項２１】
請求項１４〜２０のいずれか一項に記載のドッキング装置（１）を閉鎖する方法であって、
第１のステップで、前記閉鎖具作動要素（１４）は、閉鎖する方向において前記開放位置から前記閉鎖位置へ前記閉鎖位置を越えて動かされると共に、第２のステップで、前記閉鎖具作動要素（１４）は、前記閉鎖する方向に対して反対方向において前記閉鎖位置に動かされることを特徴とする、ドッキング装置を閉鎖する方法。
【請求項２２】
前記閉鎖具作動要素（１４）は、距離Ｄだけ前記閉鎖位置を越えて動かされ、
前記距離Ｄは、前記閉鎖位置における前記シール（２６）と接続部（６）との間の接触領域の前記移動方向における広がりの少なくとも１倍、最大で３倍に対応する、請求項２１に記載のドッキング装置を閉鎖する方法。
【請求項２３】
前記開放位置から前記閉鎖位置までの前記閉鎖する方向は、垂直方向に頂部から底部に向けられる、請求項２１に記載のドッキング装置を閉鎖する方法。
【発明の詳細な説明】
【技術分野】
【０００１】
本発明は、貫通開口部を有する環状接続フランジと、貫通開口部を選択的に閉鎖又は開放する閉鎖部材とを備える、バルク材容器用の閉鎖具を有する閉鎖装置であって、バルク材容器の容器壁は接続フランジに締結することができる、閉鎖装置に関する。さらに、本発明は、こうした閉鎖具を閉鎖する方法、並びに、こうした閉鎖具を有するバルク材容器、及びバルク材容器のこうした閉鎖具をドッキングするドッキング装置に関する。
【背景技術】
【０００２】
例えば、微粉物質若しくは粒状物質、又は気体物質若しくは液体物質等の流体等のバルク材は、搬送又は保管のために特別なバルク材容器に保管されることが多い。こうしたバルク材容器は、例えば、大袋又は樽として構成することができ、テキスタイル、プラスチック又は金属等、多種多様の材料からなることができる。バルク材容器はまた、種々の材料の混合物からなることもでき、１つ又は複数の層で構成することができる。
【０００３】
こうしたバルク材容器からバルク材を空けるために、バルク材容器は、通常、そのために構成された中身空け装置（emptying device）の対応する接続部に接続することができる閉鎖具を備える。閉鎖具は、通常、閉鎖部材を備え、閉鎖部材を用いて、容器壁の開口部を選択的に閉鎖又は開放することができる。
【０００４】
Visval AGの特許文献１は、こうした中身空け装置（１０）を示す。当該装置は、バルク材容器（５０）の対応する接続フランジ（５１、５２）を接続することができる接続部（２４）を備える。接続フランジの開口部は、閉鎖部材（６０）によって閉鎖可能である。さらに、中身空け装置（１０）は、変位可能であるように取り付けられる閉鎖具作動要素（３４）を備え、閉鎖具作動要素（３４）により、中身空け装置（１０）に接続されたバルク材容器（５０）の閉鎖部材（６０）は変位可能であり、それにより、接続フランジ（５１、５２）の開口部を選択的に開放又は閉鎖することができる。開口部が開放した状態で、その後、この開口部を通してバルク材容器からバルク材を取り除くことができる。バルク材容器が、通常通り、中身空け装置の上方に配置されている場合、バルク材は、閉鎖具が開放した状態で実質的に自然に容器から流出し、バルク材容器内に吹き込まれる圧縮空気によって、中身空け動作を補助することができる。中身空けの間、バルク材が接続部（２４）と接続フランジ（５１、５３）との間を通過するのを防止するために、幾つかの封止リング（４１、４２、４３）が設けられる。最内封止リング（４３）は、この場合、入口開口部（２６）の外周部の周囲に配置され、接続部（２４）の上側の入口開口部又は貫通ダクト（２２）を封止する。
【０００５】
別の中身空け装置は、特許文献２（Matcon）に示されている。開示されている閉鎖要素は、円錐状部分及び円筒状部分を有する。円筒状部分の外周部には、Ｃ字型シールが取り付けられている。閉鎖要素によって容器が完全に閉鎖されると、Ｃ字型シールの封止リップが更なる封止を提供する。封止リップが球状シール部を有し、それもまた半径方向押圧時にシールを正しい位置に保持する結果として、異物が閉鎖要素とシールとの間に入ることが防止される。
【０００６】
特許文献３（Matcon）は、容器から流動性媒体を排出する更なる中身空け装置を開示している。中身空け装置は、パイプ、閉鎖具及び清掃装置を備えている。持ち上げるか又は降下させることにより、閉鎖具はパイプへの通路を開放又は閉鎖する。パイプの上縁に、環状シールが位置する。このシールは、半径方向内側突出部を有し、この半径方向内側突出部は、パイプ内に突出し、中身空け装置に容器が配置されていなかったときに、閉鎖具に対してパイプを封止する。パイプの上端部に、環状清掃ユニットが位置し、この環状清掃ユニットには、同様の環状可撓性封止リップが取り付けられている。そして、この封止リップは、半径方向内側突出部を有し、この半径方向内側突出部は、閉鎖具の表面と接触し、下部シールに対して平行である。容器が排出ステーションに配置されると、封止リップ及びシールは広げられ、下方に曲げられる。引張応力の結果として、容器の内部が外側から封止されるように封止作用が達成される。
【先行技術文献】
【特許文献】
【０００７】
【特許文献１】欧州特許出願公開第１５７４４５５号
【特許文献２】国際公開第９６／１０７０９号
【特許文献３】国際公開第９８／４３９０２号
【発明の概要】
【発明が解決しようとする課題】
【０００８】
これらの中身空け装置の欠点のうちの１つは、バルク材、特に細かいバルク材が、閉鎖具が閉鎖されたときに閉鎖部材と閉鎖具の接続フランジとの間に貼り付き、したがって閉鎖具の封止に対して悪影響を与える可能性があることが完全には防止されないことである。
【０００９】
さらに、ドッキング装置の封止もまた、完全には確保されない。特に、入口開口部を閉鎖具作動要素によって閉鎖している間又は閉鎖した後、接続部と閉鎖具作動要素との間の間隙からバルク材が漏れる可能性があるのを防止することもまた可能ではない。容器が取り付けられていないときにドッキング装置を封止する、特許文献３に記載されているシールは、この問題を部分的にしか解決しない。封止リップを有する開示されているシールには、シールの内径が連続的に拡張する結果として、経時的に大きくなる不都合がある。その結果、容器が適所にあるときの密閉性（impermeability）が連続的に低下し、特に、容器が適所にないとき、システム全体を封止することが可能でなくなる。それは、シールの内径が、可動閉鎖要素と接触しなくなるか、又は非常に弱く接触するのみであるためである。
【課題を解決するための手段】
【００１０】
本発明の目的は、最初に言及した技術分野に属し、かつより優れた密閉性を有する、バルク材容器閉鎖具を生成することである。
【００１１】
この目的の達成は、請求項１の特徴によって定義される。本発明は、バルク材容器用の閉鎖具及びドッキング装置を備える閉鎖装置である。バルク材は、例えば、微粉物質又は粒状物質からなる。しかし、当然ながら、一般に液体又は流体、すなわち気体物質もまた処理することも可能である。閉鎖具は、貫通開口部を有する環状接続フランジと、貫通開口部を選択的に閉鎖又は開放する第１の可動要素、すなわち閉鎖部材とを備える。閉鎖部材は、したがって、その閉鎖位置で、環状接続フランジの内部領域に配置される。ドッキング装置は、ハウジングと、第２の可動要素、すなわち閉鎖具作動装置とを備える。閉鎖具作動装置は、貫通開口部を閉鎖又は開放するために、閉鎖部材を接続フランジに対してかつ貫通開口部の平面に対して垂直に移動させる。閉鎖具作動装置は、調整装置と閉鎖具作動要素とを備える。閉鎖具作動要素は、この場合、閉鎖部材を開放位置と閉鎖位置との間で移動させる。
【００１２】
閉鎖具は、この場合、バルク材容器の容器壁を接続フランジに締結することができるように構成される。容器壁は、その特質に応じて、例えば、接続フランジに溶接するか、接続フランジに接着接合するか、又は他の何らかの方法で接続フランジに締結することができる。
【００１３】
本発明によれば、可動要素のうちの１つは、ここでは、周縁の第１の剥離要素を備え、それにより、接続フランジの貫通開口部を閉鎖する閉鎖動作中、閉鎖部材によって接続フランジの表面から汚染物質を剥離することができる。この剥離要素は、例えば、周縁部として形成される。
【００１４】
可動要素のうちの１つのこの第１の剥離要素が、接続フランジが閉鎖具作動要素によって閉鎖されている間に接続フランジの内側に向けられた表面に沿って摩擦する間に、その表面に望ましくないように貼り付くバルク材又は他の汚染物質が、閉鎖部材と接続フランジとの間のこの封止領域から除去される。シールが封止面に当接する前に、汚染された領域が、封止面によって清掃されるため、閉鎖具の密閉性はすでに著しく向上する。
【００１５】
以下の文では、ドッキング装置を、中身空け装置と呼ぶ場合もある。しかしながら、この用語は、バルク材容器を空にする装置のみではなく、（文脈から他の何も明らかではなく、又は他の何も言及されない限り）バルク材容器を空にすることと充填することとの両方に適した装置も含むように理解されるべきである。
【００１６】
こうしたバルク材容器及び対応するドッキング装置の閉鎖具の充填用又は中身空け用開口部が、概して環状であり、通常、更には回転対称であり、すなわち、円形リングの形状であるため、接続フランジ及び閉鎖部材もまた、それに従って、好ましくは回転対称に形成される。これにより、中身空け及び充填の間にこれらの装置を取り扱うことが容易になるだけではなく、それらの装置の製造も容易になり、さらに、既存の設備と互換性があるように設計することも容易になる。
【００１７】
本発明の好ましい実施形態では、接続フランジは、特に環状の幾つかのフランジ要素を備え、そこでは、容器壁は、この場合、２つ以上のフランジ要素の間に締め付けることができる。ここでは、容器壁は、閉鎖具が締結される開口部をすでに備えることができる。しかしながら、これは必ずしもそうであるとは限らない。これは、閉鎖具、及び容器壁の中又は上に閉鎖具を取り付けるプロセスもまた、容器壁が閉鎖具の領域全体においてそのままであり、バルク材を空けるための開口部が、中身空け動作の直前又は中身空け動作の間のみにおいて形成されるように、構成することができるためである。
【００１８】
ここで、閉鎖具が、例えば中身空け装置の接続部に接続されている場合、閉鎖部材は、中身空け装置の閉鎖具作動要素の移動によって動かされ、そこでは、接続フランジは、接続部に固定して接続されたままであり、そのため、貫通開口部は選択的に閉鎖又は開放される。
【００１９】
バルク材容器の接続フランジを、中身空け装置の接続部に可能な限り密閉性であるように結合することができるように、中身空け装置は、有利には、バルク材容器の接続フランジを中身空け装置の接続部に圧入式に接続する係止装置を備える。係止装置は、例えば、手動で作動可能であるように構成することができる。しかしながら、係止装置は、好ましくは自動作動であるように構成され、例えば、接続フランジ及び接続部の周囲に配置され、接続フランジ及び接続部がそれぞれ互いの上にかつ互いに対して押されるように作動させることができる、或る種のクランプ、クリップ、又は他の締付け若しくは押圧装置を備える。こうした係止装置は、例えば特許文献１から既知である。
【００２０】
この第１の剥離要素は、いかなる汚染物質も接続フランジの内側に貼り付くのを有効に防止する。しかしながら、閉鎖部材の外側のいかなる汚染物質もそれによって除去されない。こうした汚染物質も除去するために、接続フランジの貫通開口部の領域に、周縁の第２の剥離要素が、有利に配置される。当該第２の剥離要素は、閉鎖部材によって貫通開口部を閉鎖する閉鎖動作中に閉鎖部材の表面からの汚染物質を剥離するように配置される。したがって、この表面は、内面、すなわち、貫通開口部の内部に向けられる接続フランジの表面である。第２の剥離要素もまた、例えば周縁部として構成される。
【００２１】
本発明の好ましい実施形態では、第１の剥離要素若しくは第２の剥離要素又は特に両方はまた、同時に、閉鎖部材を接続フランジのその閉鎖位置で保持するために保持装置又は締付け装置としても構成される。それらは、例えば、戻り止めとして、又は接続フランジ若しくは閉鎖部材の対応する溝と協働する或る種の舌状要素として構成することができる。
【００２２】
閉鎖部材の形状は、原則的に、自由に選択可能であり、接続フランジと同様に、有利には回転対称に構成される。これにより、製造が容易になるだけでなく、閉鎖具及びその構成要素の取付及び全体的な取扱いも容易になる。閉鎖部材は、例えば、平坦ディスクとして、又は円筒状要素として構成することができ、取付状態でバルク材容器の内部に向けられるその内側は、凸状及び凹状の両方で構成することができる。しかしながら、閉鎖部材は、バルク材容器を空にする間、バルク材の流れ領域に正確に位置することが留意されるべきである。それにも関わらず、中身空け動作の間、閉鎖部材の内側に捕捉されるか若しくは残るバルク材が、あるとしても可能な限りわずかであるように、又は、閉鎖部材が流出動作を妨げるのが可能な限りわずかであるように、閉鎖部材は、円錐状部分と円錐状部分に隣接する円筒状部分とを備える。そして、閉鎖具は、円錐状部分の先端が容器の内部に向き、したがって、円筒状部分が円錐状部分の幅広端部に隣接するように、容器壁に締結される。したがって、閉鎖部材の閉鎖位置では、接続フランジの内部領域及び閉鎖部材の円筒状部分の外周部は、互いに対向して位置する。
【００２３】
本発明による閉鎖装置の好ましい実施形態では、第１の剥離要素は、円錐状部分から離れた閉鎖部材の端部領域に配置される。これにより、第１の剥離要素が、接続フランジの内側全体から、すなわち頂部から底部まで、汚染物質を可能な限り除去することが確実になる。
【００２４】
更なる好ましい実施形態では、第１の剥離要素は、閉鎖具作動要素に配置される。剥離要素は、この場合、閉鎖フランジの内側の方に向けられる閉鎖具作動要素の円筒状部分の閉鎖具作動要素の外側に取り付けられる。
【００２５】
剥離要素が閉鎖部材に配置される実施形態と比較して、この実施形態は、第１の剥離要素によって生成される摩擦力が、閉鎖部材において発生せず、したがって、閉鎖部材と閉鎖具作動装置との間の接続を介して伝達されなければならないという利点を提供する。その代わり、第１の剥離要素の摩擦力は、閉鎖具作動装置において直接発生し、そうした摩擦力を、調整装置により問題なしに与えるか又は吸収することができる。
【００２６】
第２の剥離要素は、原則的に、接続フランジの内面の任意の場所に取り付けることができる。しかしながら、閉鎖部材がその閉鎖位置にあるときに第１の剥離要素の上方に位置するように、第２の剥離要素が配置されることが有利である。または、言い換えれば、第２の剥離要素は、接続フランジの上に、閉鎖部材が貫通開口部を閉鎖する閉鎖部材の閉鎖位置において、第１の剥離要素より閉鎖部材の円錐状部分の近くに位置する円筒状部分の領域に対向して位置するように、配置される。有利には、第２の剥離要素は、接続フランジの入口領域に、すなわち、接続フランジの内側に向けられた表面の上端部に配置される。
【００２７】
これにより、閉鎖部材が閉鎖されると、接続フランジのいかなる表面領域も、閉鎖部材の、第２の剥離要素によって事前に清掃されていない円筒状部分に対向して配置されないことが確実になる。これにより、閉鎖部材と接続フランジとの間のいずれの場合もすでに優れた封止作用が更に著しく改善される。
【００２８】
本発明の更に好ましい実施形態では、閉鎖部材が貫通開口部を閉鎖する閉鎖部材の閉鎖位置において、接続フランジと閉鎖部材との間に封止を提供するために、閉鎖具は、環状閉鎖シールを備える。環状閉鎖シールは、好ましくは、弾性変形可能な材料から製作される。それは、例えば、こうした用途に対して既知である材料から、特に寸法的に安定し、弾性変形可能なプラスチック材料から、好ましくは、ＥＰＤＭ（エチレンプロピレンジエンゴム）、シリコーンゴム等のエラストマーからなる。これはまた、以下の文で言及するシール又はシール要素にも適用される。閉鎖部材が、その閉鎖位置にあるときに接続フランジの内部領域内に位置するため、閉鎖シールもまた、特に、環状接続フランジの内部領域に配置される。しかしながら、閉鎖部材の、接続フランジの内側に向かって外側に向けられた円筒状部分に取り付けることもできる。２つの剥離要素により、閉鎖位置にある接続フランジと閉鎖部材との間にそれ以上汚染物質が配置されないことが確実になるが、この閉鎖シールは、この領域を最適に封止し、材料、すなわち特にバルク材が、望ましくないようにバルク材容器から出るか又はバルク材容器に入るのを防止する。
【００２９】
シールとは対照的に、弾性変形可能でない材料は、閉鎖部材又は接続フランジに対する、好ましくは両方に対する材料として非常に適している。それは、例えばポリマー材料、例えば熱可塑性材料又は熱硬化性材料等とすることができ、好ましくは、溶接可能であるため、熱可塑性材料が利用される。ポリプロピレン又はポリエチレンが、この目的に特に適していることが分かった。金属実施形態もまた、当然ながら可能である。したがって、例えば、鋼、特にステンレス鋼が、この目的に特に適しているが、アルミニウムもまた極めて可能である。さらに、接続フランジ又は閉鎖部材を金属から製作し、それぞれ他方の要素をポリマー材料から製作することもできる。
【００３０】
対照的に、弾性変形可能な材料は、有利には、第１の剥離要素又は第２の剥離要素に対する、好ましくは両方に対する材料として使用される。この材料には、剥離要素がそれぞれ対向する面に沿って摩擦するとき、それぞれの表面輪郭により十分に適合し、したがって、清掃結果を改善することができるという利点がある。剥離要素はまた、弾性変形可能でないか、又はわずかに弾性変形可能である材料から形成することもでき、こうした場合、表面領域は、正しく清掃することを可能にするためにも過剰な湾曲を有するべきではない。この場合、必要な変形は、例えば、協働する要素、すなわち接続フランジ及び閉鎖部材の幾何学的形状によっても支持される。
【００３１】
本発明によれば、閉鎖位置でハウジングと閉鎖具作動要素との間に封止を提供するために、ドッキング装置は、閉鎖具作動要素に配置される弾性変形可能な材料から作製されたシールを備える。
【００３２】
好ましい変形実施形態では、第１の剥離要素を、同時にこうしたシールとして構成することもできる。しかしながら、シールはまた、剥離要素における別個の構成物の形態で構成することもできる。両方の場合において、剥離要素は、第２の可動要素に対する、すなわち閉鎖具作動要素に対する封止作用があるように配置される。シールは、本明細書において更に後述するシールに対応する。
【００３３】
剥離要素及びシールの組合せは、１つの要素に２つの機能を組み合わせることができ、したがって、小型かつ費用効率の高い設計が可能であるという利点を提供する。したがって、閉鎖具作動要素において、剥離要素及びシールに対して２つの切取り部ではなく、１つの切取り部のみを設ければよい。
【００３４】
シールは、閉鎖位置でかつバルク材容器の閉鎖具が接続部に接続されていない状態で、半径方向圧縮応力を受け、それにより、シールは、接続部のアクティブ領域に対して押圧される。シールの詳細な説明については、更に後に見ることができる。
【００３５】
本発明の更なる目的は、本発明による閉鎖具を閉鎖する、最初に言及した技術分野に属する方法をもたらすことであり、当該方法により、閉鎖具のより優れた密閉性がもたらされる。
【００３６】
この目的の達成は、請求項１１の特徴によって定義される。本発明は、上述したように、閉鎖具を閉鎖する方法である。閉鎖するために、閉鎖部材は、貫通開口部に対して垂直な移動方向に、閉鎖部材の、貫通開口部を開放したままにする開放位置から貫通開口部を閉鎖する閉鎖位置まで動かされ、可動要素のうちの１つに配置された第１の剥離要素により、接続フランジの内面から汚染物質が剥離される。
【００３７】
本発明による方法の好ましい実施形態では、接続フランジの内側に配置された第２の剥離要素によって、閉鎖部材の外面からもまた当然ながら、汚染物質が剥離される。
【００３８】
閉鎖具の密閉性を更に増大させるために、閉鎖動作が、１回のみでなく、好ましくは数回、すなわち２回以上行われることが可能である。言い換えれば、接続フランジが閉鎖された後に、閉鎖部材は、再度開放位置の方向に、その後、閉鎖位置に戻るように動かされる。しかしながら、この場合、閉鎖部材が開放位置の方向に動かされるとき、バルク材がバルク材容器から流出して、すでに清掃された表面を再度汚染する可能性がある程度までは、閉鎖具は再度開放されないことが留意されるべきである。このように、更なる汚染物質は、接続フランジの表面から、特に閉鎖部材の外面からも剥離される。この動作は、ここでは、特に２回以上繰り返される。
【００３９】
移動方向における閉鎖部材の移動は、種々の方法で行うことができる。例えば、閉鎖部材を手動で移動させることができ、又は、閉鎖具に若しくはバルク材容器に配置された調整装置によって移動させることができる。しかしながら、本発明による方法のこうした好ましい実施形態では、閉鎖部材は、閉鎖具を備えるバルク材容器を空にするか又は充填するように閉鎖具をドッキングするドッキング装置の閉鎖具作動要素によって、移動方向に動かされる。
【００４０】
本発明はまた、バルク材容器に関する。この容器は、上述したように、容器壁及び閉鎖具を有する。本発明によれば、容器壁は、この場合、閉鎖具の接続フランジに締結される。
【００４１】
容器壁は、この場合、１つの層から作製することができ、そこでは、上述したように、閉鎖具の接続フランジに締結する、例えば接続フランジに溶接するか又は接続フランジの幾つかの要素の間に締め付けることができる。例えば、接続フランジに接着接合し、接続フランジにねじ込み、又は他の何らかの方法で接続フランジに締結することもできる。容器壁はまた、例えば、インライナーを有する樽における場合のように、多層式に構成することもでき、その場合、外層は、例えば金属又はプラスチック樽によって形成され、インライナーは、通常は、溶接可能なプラスチック材料又はテキスタイル材料からなる。当然ながら、多層容器壁の場合、全ての層又は幾つかの層が同じ材料からなることも可能である。さらに、多層容器壁の場合においても、層の全てが、閉鎖具の接続フランジに締結されるか又は締結することができる。接続フランジは、例えば、３つの環状フランジ要素からなることができ、そこでは、内層は、最内フランジ要素と中間フランジ要素との間に締結され、外層は、中間フランジ要素と最外フランジ要素との間に締結される。
【００４２】
本発明の更なる目的は、バルク材容器からバルク材を空け、及び／又はバルク材容器をバルク材で充填するために、バルク材容器の閉鎖具をドッキングする、最初に言及した技術分野に属するドッキング装置であって、この場合もまた改善された密閉性を有するドッキング装置を製造することである。
【００４３】
この目的の達成は、請求項１４の特徴によって定義される。ドッキング装置は、ハウジングと、閉鎖具を接続する接続部とを備える。接続部は、例えば、バルク材容器の閉鎖具の接続フランジを接続部に密閉性であるように接続又は結合することができるように構成される。ドッキング装置はまた、接続されたバルク材容器の閉鎖具を作動させる閉鎖具作動装置を備える。そして、閉鎖具作動装置は、閉鎖具作動要素と調整装置とを備え、調整装置により、閉鎖具作動要素は、閉鎖位置と開放位置との間で選択的に移動可能である。バルク材容器の閉鎖具は、この場合、例えばその一部が、閉鎖具作動要素を用いることにより、閉鎖位置から開放位置に及びその逆に動かされるように駆動される。閉鎖具作動要素の移動は、この場合、位置、特に移動方向に応じて、上下又は前後に発生する。好ましくは、幾つかの開放位置と厳密に１つの閉鎖位置とがあり、それらの間で、閉鎖具作動要素が前後に動かされることが留意されるべきである。本発明の特に好ましい変形形態では、実質的に所望される数だけの開放位置があり、それは、閉鎖具作動要素を、閉鎖位置と最大開放位置との間の任意の所望の位置まで無段階で移動させることができるためである。しかしながら、閉鎖具作動要素が、厳密に１つの開放位置及び／又は幾つかの閉鎖位置になることができるように、調整装置を構成することもできる。
【００４４】
固体物質又は液体の場合、空にするために、バルク材容器は、通常、その開口部が下向きで位置決めされ、ドッキング装置は、バルク材が重力によって下方に流出することができるように、バルク材容器の下方に配置される。これはまた、高密度気体物質の場合、すなわちこの場合、気体が、環境に対していかなる浮揚性の上昇も起こさない場合にも当てはまる。それに対応して、低密度気体バルク材（浮揚性の上昇が起こる）の場合、上昇させることによってバルク材が上方に流出することができるように、バルク材容器は、その開口部が上向きでありドッキング装置がバルク材容器の上方にあるように位置決めされる。
【００４５】
本発明によれば、ドッキング装置は、閉鎖位置にありかつバルク材容器の閉鎖具が接続部に接続されていない状態で、ハウジングと閉鎖具作動装置との間に封止を提供する役割を果たすシールを備える。
【００４６】
シールは、閉鎖位置において、かつバルク材容器の閉鎖具が接続部に接続されていない状態で、半径方向圧縮応力を受け、それにより、シールは、接続部のアクティブ領域に対して押圧される。接続部は、ドッキング装置のハウジングの上部に配置される。したがって、接続部は、ドッキング装置のハウジングの一部として、又はハウジングとは別個の要素としてみなすことができる。
【００４７】
シールは、こうした用途に対して既知である材料、特に、寸法的に安定し、弾性変形可能なプラスチック材料から、好ましくは、ＥＰＤＭ（エチレンプロピレンジエンゴム）、シリコーンゴム等のエラストマーからなる。これはまた、以下の文で言及するシール又はシール要素にも適用される。
【００４８】
シールの封止作用は、半径方向の、疲労のない圧縮応力に基づく。したがって、シールは、拡張又は伸張させる（それにより、材料の疲労、したがって封止作用の低減がもたらされる）必要はない。このシールの利点はまた、封止作用が、シールの固有の応力及びシールの引張応力に依存しないということと、半径方向圧力が一定のままであるということでもある。これにより、特に、ドッキング装置にバルク材容器が連結されていないときであっても、全体的なシステムの永久的な過圧保護、防塵性及び気密性が確実になる。
【００４９】
一方で、こうしたシールは、閉鎖具作動要素とドッキング装置のハウジングとの間に配置されるため、これにより、例えば、（どこからでも）異物がドッキング装置内に意図せずに入る可能性が防止され、他方で、バルク材又は蒸気及び気体がドッキング装置から漏れ出る可能性があることが防止される。したがって、このように、閉鎖具作動要素の外面、ドッキング装置及び概して環境が、バルク材又は蒸気及び気体によって汚染されることも防止される。
【００５０】
こうしたバルク材容器の閉鎖具の充填用又は中身空け用開口部が少なくとも環状であり、通常、更には回転対称であり、すなわち、円形リングの形状であるため、シールは、本発明の好ましい実施形態では同様に環状であり、有利には、単に回転対称で構成され、閉鎖具作動要素の外周部の周囲に配置される。
【００５１】
代替的に、シールはまた、互いに対して配置される幾つかの個々の部分からなることもできる。しかしながら、こうした実施形態では、２つの部分の間の各遷移部分において密閉性が不十分であるというリスクがある。
【００５２】
シールは、好ましくはアクティブ領域を有するシール部分を備え、このアクティブ領域は、接続部のアクティブ領域の上に押圧される。
【００５３】
好ましい変形実施形態では、シール部分は、接続部に向かって半径方向外側に向けられた封止リップである。しかしながら、シール部分はまた、接続部のアクティブ領域にシールを接触させるのに適しているシールの任意の所望部分も表すことができる。
【００５４】
アクティブ領域は、表面、直線状又は実質的に点状の形態とすることができる。接続部のアクティブ領域に対するシールのシール部分のアクティブ領域の圧力の結果として、封止作用が、各々確実になり改善される。
【００５５】
本発明の更に好ましい実施形態では、環状シールは、円形リングの形態の基部と、円形リングの形態のシール部分とを備え、シール部分は、基部に一体的に形成されかつ移動方向に対して半径方向外側に延在する。優れた封止作用を達成するために、円形リングの形態のシール部分の外径は、有利には、ハウジングの内側の表面部分の内径より大きく、上記表面部分は、閉鎖具作動要素の閉鎖位置においてシール部分に対向して位置する。シール部分は、この表面部分と封止するように協働する。
【００５６】
ハウジングと閉鎖具作動要素との間の封止作用のために重大な領域における、シールの形状、すなわちシールの断面の形状は、例えば、卵形であるように、楕円形であるように、又は丸いように構成することができる。この領域は、以下の文ではアクティブ領域とも呼ぶ。このアクティブ領域は、矩形であるように構成することもでき、そこでは、その向きは、原則的に自由に選択可能である。アクティブ領域の形状もまた、当然ながら、封止が達成されるように意図される領域におけるハウジング又は閉鎖具作動要素の形状に応じて選択することもできる。ハウジング及び閉鎖具作動要素のこれらの領域は、好ましくは、軸方向に向けられ、すなわち、この領域における閉鎖具作動要素の移動方向に対して平行に延在する。この理由は、特に、バルク材を空けることが、可能な限り自由に流れるように行うことができ、ハウジング又は閉鎖具作動要素の対応する領域の非軸方向の向きにおける場合のように、バルク材の流れ領域に侵食するハウジング又は閉鎖具作動要素の部分によって、遮ることができないためである。
【００５７】
シール部分は、例えば、実質的に矩形であるように構成され、短辺が基部に一体的に形成される。アクティブ領域は、この場合、この部分の自由端側に形成される。このように、端部側に配置されたアクティブ領域とハウジング又は閉鎖具作動要素との間の所望の半径方向封止作用が達成されるだけでなく、この断面が矩形の部分の自由端が更に可動である。したがって、その自由端を、閉鎖具作動要素の移動方向に或る特定の程度まで移動させることができる。これは、特に、バルク材容器の閉鎖具がドッキング装置の接続部に接続される場合に有用である。この場合、ハウジングと閉鎖具作動要素との間のシールは、当然ながら、バルク材が容器から妨げられないように流出することができるように、取り除かれるように意図される。これは、ここでは、閉鎖具作動要素によって駆動されるバルク材容器の閉鎖具のその部分が、接続部に対する結合中に、この断面が矩形の部分の自由端をその半径方向位置から押し離すという点で、簡単な方法で達成することができる。
【００５８】
この押し離しをより容易にするために、シール部分は、好ましくは、その長さがその幅より著しく大きいように、断面が比較的細長いように形成される。この場合、長さは、基部と、閉鎖具作動要素の閉鎖位置においてシール部分と対向して位置する、ハウジング部分の内面との間の半径方向距離よりわずかに大きいように、選択されるべきである。その結果、閉鎖具作動要素がその閉鎖位置に配置されたとき、シール部分はわずかに圧縮され、この結果、半径方向応力が増大し、ハウジングと閉鎖具作動要素との間の封止作用が特に優れたものとなる。
【００５９】
上述したように、シールは、ドッキング装置のハウジングと閉鎖具作動要素との間に封止を提供する役割を果たす。したがって、原則的に、これらの２つの要素のうちの一方にシールを配置することができる。本発明の１つの好ましい実施形態では、シールは、閉鎖具作動要素に配置される。これには、シールを用いて、ハウジングと閉鎖具作動要素との間に封止を提供することができるだけでなく、同時に、閉鎖具作動要素と、結合されたバルク材容器の閉鎖部材との間に封止を提供することもできるという利点がある。これは、閉鎖具作動要素の外側領域を、バルク材による汚染から保護するという目的を有する。外側領域は、ここでは、ハウジングから見ると外部領域を意味するように理解される。
【００６０】
閉鎖具作動要素とそれによって駆動される閉鎖具の部分との間のこうした封止も当然ながら同様に、又は付加的に、別個のシール装置を用いて行うことができる。しかしながら、これは、好ましくは、シールが、閉鎖具作動要素と、ドッキング装置に接続されたバルク材容器の閉鎖具との間に封止を提供する役割を果たす、少なくとも１つの更なるシール領域を備えるという点で行われる。こうしたシール領域は、例えば、リップシールとして構成することができる。したがって、シールは、閉鎖具作動要素の外面のバルク材による汚染を防止するだけでなく、外面、すなわち、閉鎖具作動要素によって駆動される閉鎖具のその部分の、閉鎖具作動要素に面する側の汚染も防止する。
【００６１】
ハウジングと閉鎖具作動要素との間の封止は、閉鎖具作動要素に配置されたシールを用いて行うことができ、当該シールは、そのアクティブ領域によって、ハウジングの表面領域と直接、半径方向に封止するように協働する。しかしながら、その封止はまた、ハウジングに配置されたシールを用いて行うこともでき、当該シールは、そのアクティブ領域によって、閉鎖具作動要素の表面領域と直接、半径方向に封止するように協働する。
【００６２】
しかしながら、好ましくは、ドッキング装置は、弾性変形可能な材料から作製された更なる封止要素を備え、それは、移動方向に対して軸方向に向けられるアクティブ領域を備える。この封止要素は、この場合、ドッキング装置のハウジングに、閉鎖具作動要素の閉鎖位置において、かつバルク材容器の閉鎖具が接続部に接続されていない状態で、この封止要素のアクティブ領域と、閉鎖具作動要素に配置されたシールのアクティブ領域との間に、半径方向封止作用がもたらされるように、配置される。言い換えれば、封止作用は、シールとハウジング材自体の間だけでなく、シールと更なる封止要素との間においても達成される。この更なる封止要素は、別個の要素として構成されるが、本発明の文脈においてハウジングの一部であるものとして理解されるべきである。
【００６３】
当然ながら、上述したようにシールをハウジングに配置することも可能であり、そこでは、追加の封止要素は、この場合は閉鎖具作動要素に配置され、したがって、閉鎖具作動要素の一部であるものとして理解されるべきである。
【００６４】
ドッキング装置のハウジングと、それに接続された、バルク材容器の閉鎖具との間の封止は、原則的に絶対的に必要であるとは限らないが、こうした封止は、実際には、バルク材のタイプに応じて有利であるか又は不可欠である。したがって、本発明の好ましい実施形態では、ドッキング装置は、接続部と、ドッキング装置に接続されたバルク材容器閉鎖具の接続フランジとの間に封止を提供する、接続部に配置されたフランジシールを備える。
【００６５】
好ましくは、閉鎖部のアクティブ領域は、移動方向に対して平行に向けられる。これにより、閉鎖具作動要素に配置されるシールのアクティブ領域が、閉鎖部のアクティブ領域に対して平行であり、したがって、シールの半径方向圧縮応力を、接続部のアクティブ領域によって最適に吸収することができるという利点が提供される。
【００６６】
しかしながら、接続部のアクティブ領域はまた、移動方向に対して任意の所望の角度であることもでき、そこでは、角度は、通常、４５度未満よりも４５度〜９０度が好ましい。
【００６７】
更なる実施形態では、シールは剥離要素を有することができ、剥離要素は、閉鎖具作動要素による接続フランジの貫通開口部を閉鎖する閉鎖動作中に、接続フランジの表面から汚染物質を剥離する。この剥離要素は、すでに更に上述した第１の剥離要素に対応する。この場合、剥離要素は、追加の突出構成物の形態でシールに配置することができる。しかしながら、剥離要素を、シールの半径方向突出シール部分に一体化することもできる。当然ながら、シール自体を剥離要素として構成することもできる。両方の場合において、剥離機能を有するシールは、第２の可動要素、すなわち閉鎖具作動要素に配置される。
【００６８】
この実施形態により、封止要素及び剥離要素を１つのユニットとして製造することができるという利点が提供される。不都合なのは、剥離要素が追加の構成物として構成されるとき、複雑な断面形態がもたらされるということである。
【００６９】
したがって、剥離要素及びシールを結合して１つの要素にすることができる。しかしながら、剥離要素及びシールを完全に別個とすることもでき、それらは、互いに機能的に独立する。
【００７０】
バルク材の特質に応じて、当該バルク材は、実質的に自然にかつ完全にバルク材容器から流出する。そのため、バルク材を流動化する手段は不要である。しかしながら、こうした流出が発生せず、バルク材がバルク材容器から自然に流出しないか又はバルク材容器から低速でしか又は完全には流出しない可能性がある。例えば、それが、保管又は輸送中に一塊になっているか、又はバルク材ブリッジと呼ばれるものが形成されているためである。流れ特性を向上させるため、バルク材を流動化する、すなわちほぐすために、最初に言及した特許文献１におけるように、ドッキング装置に空気圧式ガス装置を設け、それにより、圧縮空気又は他の何らかの流動化ガスをバルク材容器内に吹き込むことができる。
【００７１】
しかしながら、中身空け動作及び／又は充填動作を補助するために、ドッキング装置は、有利には、振動ユニットを備え、それにより、ドッキング装置は振動状態になることができる。振動ユニットは、例えば、ハウジング又は閉鎖具作動装置の内側に配置することができる。しかしながら、振動ユニットは、好ましくは、ハウジングの外側に締結されるか又は締結することができる。この配置により、中身空けの間にバルク材の優れた流動化が確保され、それは、振動ユニットの振動が、このように、ハウジングから閉鎖具に、かつ接続部を介してバルク材容器の容器壁に容易に伝達可能であるためである。充填中、振動ユニットは、特に、バルク材容器におけるバルク材のより優れた分配に対して、かつ圧縮に対して役立つ。こうした振動ユニットは、特に、比較的小型のドッキング装置の場合に有利であり、それは、そうしたドッキング装置の場合、ハウジング内の利用可能な空間が限られ、例えば、空気圧式ガス装置に対する空間がほとんどないためである。比較的小型のドッキング装置は、バルク材を空けるためのその貫通開口部の直径が、２００ｍｍ未満、例えば、５０ｍｍ〜１５０ｍｍの範囲にある場合に問題となる。しかしながら、貫通開口部が２００ｍｍより大きいより大型のドッキング装置の場合に外部振動ユニットを設けることも可能であり、そこでは、こうした振動ユニットは、当然ながら、ハウジング又は閉鎖具作動要素の内側に配置することもできる。
【００７２】
バルク材を流動化するために２つ以上の振動ユニットを設けることも可能である。各振動ユニットの振動の振幅及び周波数は、この場合はバルク材の特性に適合させることができる。
【００７３】
本発明はまた、ドッキング装置を閉鎖する方法に関する。本発明による方法では、閉鎖具作動要素は、第１のステップで、開放位置から閉鎖する方向において閉鎖位置の方向に閉鎖位置を越えるように動かされる。第２のステップで、閉鎖具作動要素は、閉鎖する方向に対して反対の方向に、閉鎖位置に動かされる。
【００７４】
この場合、「閉鎖する方向に」とは、閉鎖具作動要素が、閉鎖位置の方向で開放位置から動かされることを意味する。好ましい変形形態では、閉鎖具作動要素と接続フランジとの間に環状開口部が生じるように、閉鎖具作動要素が上方に動かされたときに、開放位置が提供される。「閉鎖する方向に」とは、この場合、閉鎖具作動要素が、開口部を閉鎖するために、かつ閉鎖位置を達成するために、頂部から底部に動かされることを意味する。しかしながら、代替的に、閉鎖具作動要素が接続フランジの下に位置するように、開放位置を定義することもできる。この場合、「閉鎖する方向に」は、底部から頂部の方向を意味する。
【００７５】
シールの外径は、接続部の内径より大きい。したがって、接続部に向かって突出するシールの部分は、第１のステップでは、接続部の外縁部に存在する。閉鎖する方向に更に移動すると、シールのこの部分は、閉鎖する方向とは反対方向に押しやられる。第２のステップでは、閉鎖具作動要素が、再度閉鎖する方向とは反対方向にわずかに動かされると、接続部に向かって突出するシールの部分は、接続部の内側の縁部に引っかかり、それにより、この部分は、閉鎖する方向に対して反対方向にそれ以上移動することができない。このように、閉鎖部に向かって突出するシールの部分は、適所に維持される。シールのこの部分は、閉鎖具作動要素の更なる移動によって水平位置にされ、同時に圧縮され、その結果、シールにおいて半径方向圧縮応力が発生する。シールにおけるこの半径方向圧縮応力の結果として、特に優れたかつ一貫した封止作用が達成される。
【００７６】
第１のステップでは、閉鎖具作動要素は、距離Ｄだけ閉鎖位置を越えて動かされ、距離Ｄは、閉鎖位置にあるシールと接続部との間の接触領域の移動方向における広がりの少なくとも１倍、最大３倍に対応する。代替的に、距離Ｄは、シールの接触領域の移動方向における広がりの最大４倍から５倍に対応することもできる。
【００７７】
好ましい実施形態では、閉鎖具作動要素は、開放位置では接続フランジの上方に位置する。したがって、この実施形態では、閉鎖する方向は、垂直に頂部から底部である。これにより、閉鎖する動作中、閉鎖する方向が、バルク材の落下方向と一致し、したがって詰まるリスクが最小限になるという利点が提供される。
【００７８】
すでに述べたように、閉鎖具作動装置は、閉鎖具作動要素及び調整装置を備え、調整装置により、閉鎖具作動要素は、移動方向に対して調整可能である。調整装置は、例えば、単にハンドル等を備えることができ、それにより、閉鎖具作動要素を移動方向に手動で移動させることができる。しかしながら、好ましくは、調整装置は駆動装置を備え、それにより、閉鎖具作動要素を移動方向に移動させることができる。この移動は、例えば、駆動装置の対応する要素の手動による作動によって行うことができ、例えば、クランク又はハンドホイール等の回転によって手動で生成される回転移動を、対応するクラッチ及び／又は対応する歯車機構によって、閉鎖具作動要素の移動に変換することができる。
【００７９】
しかしながら、例えば、バルク材容器を自動的に空にしなければならないか、又は多数回の中身空け動作が必要である場合、閉鎖具作動要素の移動は、手動によるのではなく、例えばモーター等の駆動ユニットによって行われることが有利である。こうしたドッキング装置は、食品加工において又は化学業界若しくは製薬業界において等、影響を受けやすい分野において使用されることが多いため、ガソリン、天然ガス等、液体又は気体燃料で動作する駆動装置は、原則的には使用することもできるが、それほど適していない。したがって、駆動ユニットは、有利には電気モーターを備え、そこでは、原則的に任意の種類の電気モーターが使用可能である。しかしながら、機械的摩耗を低減させるか又は回避することができるように、ブラシレス電気モーターが有利に使用される。さらに、コントローラーを設けることができ、コントローラーにより、用途に応じて電気モーターを異なるように制御することができる。したがって、例えば、モーターの加速度、回転速度及び回転数を、広範囲内で選択し、特定の用途に対して最適化することができる。しかしながら、用途に応じて、当然ながら、液圧式装置若しくは空気圧式装置又は他の任意の種類の駆動装置を使用することも可能である。
【００８０】
本発明の好ましい実施形態では、調整装置はスピンドルを備え、閉鎖具作動要素はスピンドルに締結され、したがって、スピンドルの軸方向移動によって調整可能である。
【００８１】
スピンドルのこうした軸方向移動は、多種多様な方法で達成可能である。例えば、モーターシャフトの回転がウォーム歯車等を介してスピンドルに伝達されるように達成することができる。スピンドルは、この場合、固有の回転なしに軸方向に移動する。しかしながら、原則的に、モーターを用いてスピンドルを回転移動させることも可能であり、そこでは、スピンドルは、例えば、回転するスピンドルが軸方向に変位するように、固定されたナットに入るねじ山を備える。
【００８２】
モーターとスピンドルとの間の選択された結合又はねじ山に応じて、スピンドルに駆動ユニットを、例えば軸方向に結合することができる。しかしながら、駆動ユニットは、通常、バルク材の流れ領域に位置するように、ドッキング装置のハウジングの中又は下に位置する。したがって、駆動ユニットは、好ましくは、スピンドルに対して半径方向に配置される。
【００８３】
この場合、駆動ユニットの回転移動は、通常、それに対して垂直なスピンドルの移動に変換されなければならない。この目的で、駆動装置は、好ましくはアングル歯車を備える。原則的に、この目的で、第１の軸を中心とする回転移動を、第１の軸に対して平行ではない第２の軸を中心とする回転移動に変換する任意の種類の歯車機構を使用することができる。
【００８４】
可能な限りわずかな駆動力で済ますために、駆動装置は、特にボールねじとして構成される。こうした駆動装置は、さらに、摩耗がほとんどなく、高い変位速度及び高い位置決め精度を可能にするという利点を有する。
【００８５】
バルク材容器の中身空け及び充填の間、バルク材は、ドッキング装置の内部を通って流れ、したがって、その中に位置する全てのものがバルク材と接触するというリスクがあるため、モーター、及び当然ながらあらゆるコントローラーは、好ましくは、ハウジングの外側に配置され、又はハウジングの外側に締結される。そして、モーターシャフト又はそれに結合された動力伝達装置は、ハウジングを通して案内される。ハウジング内に配置される駆動系の部品の全ての汚染も回避するために、上記部品は、好ましくは、密閉されるように具現化される。したがって、せいぜいその密閉手段が汚染されるだけで、これは、駆動系の機能には全く影響を与えない。
【００８６】
本発明の更なる有利な実施形態及び特徴の組合せは、以下の詳細な説明と特許請求の範囲の全体から収集することができる。
【００８７】
図面を用いて例示的な実施形態について説明する。
【図面の簡単な説明】
【００８８】
【図１】わずかに開放した位置にある本発明による閉鎖具の概略図である。
【図２】閉鎖位置にある図１の閉鎖具の図である。
【図３】図１の細部の拡大図である。
【図４】開放位置にある閉鎖部材及び接続フランジの相互の清掃の本発明による原理の概略図である。
【図５】閉鎖位置にある図４の閉鎖部材及び接続フランジの概略図である。
【図６】接続されたバルク材容器及び閉鎖具が閉鎖されている、本発明によるドッキング装置の概略図である。
【図７】閉鎖具が開放している、図６のドッキング装置の概略図である。
【図８】バルク材容器が分離されている、図６のドッキング装置の細部の拡大図である。
【図９】結合されたバルク材容器を含まない、本発明による更なるドッキング装置の概略図である。
【図１０】バルク材容器が分離されている、図９のドッキング装置の細部の拡大図である。
【図１１】結合されたバルク材容器を含む、図９の同じ細部の拡大図である。
【図１２】図７の閉鎖具が接続されている、図４のドッキング装置の接続部の拡大した細部の図である。
【図１３】分離装置がドッキング装置に結合されている、本発明による更なる閉鎖具の概略図である。
【図１４】遮断装置から分離された図１３の閉鎖具の概略図である。
【図１５】閉鎖具作動要素の上に剥離要素が配置され、接続フランジの上に剥離要素が配置されている、開放位置にある閉鎖部材及び接続フランジの相互清掃の本発明による原理の概略図である。
【図１６】閉鎖位置にある図１５の閉鎖具作動要素及び接続フランジの概略図である。
【図１７】閉鎖具作動要素の上に剥離要素が配置されている、閉鎖具の概略図である。
【図１８】シールに剥離要素が一体化されている、閉鎖具の概略図である。
【発明を実施するための形態】
【００８９】
原則的に、図において、同一の部分は同じ参照符号が与えられている。
【００９０】
［発明を実施する方法］
図１及び図２は、本発明による閉鎖具３の断面での概略図を示す。閉鎖具３は、図１では、わずかに開放した位置で示されており、図２では、閉鎖位置で示されている。そして、図３は、細部の拡大図を示し、コーン弁２２と接続フランジ２１との間の接触領域を示す。
【００９１】
そして、閉鎖具３は、円錐状部分２２．１及び円筒状部分２２．２を有するコーン弁２２を備えている。しかしながら、以前の例とは対照的に、接続フランジ２１は、２つのフランジ要素、すなわち、内側フランジ要素２１．１及び外側フランジ要素２１．２を備えている。２つのフランジ要素は、内側フランジ要素２１．１を外側フランジ要素２１．２に締結する、例えばその中に溶接することができ、それによってそれらがともにユニットを形成するように構成されている。フランジ要素２１．１、２１．２はまた、この目的で、例えば、２つの要素の密着を補強し、後にそれらを分解するのを困難にするか又は防止する、対応する構造を有することができる。こうした構造は、例えば、クリップ閉鎖具又はスナップ作用閉鎖具と同様に構成することができる。図示する実施形態では、例えば、内側フランジ要素２１．１はその外周部に周縁溝を備え、外側フランジ要素２１．２は、その内周部に適合する舌状部を備えている。
【００９２】
２つのフランジ要素２１．１、２１．２によってこのように構成された接続フランジ２１では、バルク材容器の容器壁を、例えばこれらの２つのフランジ要素２１．１、２１．２の間の適所（図示せず）に締め付けることができる。この締付けは、好ましくは、２つのフランジ要素２１．１、２１．２が取り付けられる前に、２つのフランジ要素２１．１、２１．２の間に容器壁が案内され、その後、２つの要素が組み立てられるように、行われる。しかしながら、容器壁を最初に、例えば頂部から内側フランジ要素を通して、次いで、底部から上方に２つのフランジ要素２１．１、２１．２の間を通して案内することもできる。原則的に、容器壁を２つのフランジ要素に又はそれらの間に締結する更に多くの方法があり得るが、それらの大部分が、バルク材容器を空にする間のバルク材の流れを妨げ、したがってそれほど意味をなさない。
【００９３】
図の説明に関連して、底部及び頂部並びにまた左及び右という用語は、対応する図におけるそれぞれの例示に関するものであることが留意されるべきである。それらは、対応する要素が常にこの向きで配置されなければならないことを意味するようには意図されていない。
【００９４】
さらに、内側フランジ要素２１．１の内側に、周縁溝３５が導入される。接続フランジ２１の開口部を閉鎖するために、コーン弁２２が接続フランジ２１に締結されるとき、この溝３５に、コーン弁２２の円筒状部分２２．２の外周部の周縁舌状部３６が係合する。このように、コーン弁２２は、接続フランジ２１に堅固に保持され、コーン弁２２の望ましくない開放が防止される。
【００９５】
当然ながら、接続フランジ２１は、３つ以上のフランジ要素から構成することもでき、そこでは、容器壁、又は多層容器壁の場合、層のうちの少なくとも１つ、幾つか又は全てを、２つ以上のフランジ要素の間の適所に締め付けるか、又は他の方法でフランジ要素のうちの１つ又は複数に既知の方法で締結するか若しくは取り付けることができる。
【００９６】
図３は、本発明による剥離要素が閉鎖部材２２に位置する実施形態を詳細に示す。コーン弁２２の円筒状部分２２．２の下端部２２．３の下縁部は、円筒状部分２２．２から見ると外側に向けられている周縁部３７．１として構成されている。言い換えれば、それは、内側フランジ要素２１．１の内面２１．４の方向に向けられている。この縁部３７．１は、剥離要素としての役割を果たし、それは、内側フランジ要素２１．１の開口部が閉鎖されるとき、すなわち、コーン弁２２の下方移動中、内側フランジ要素２１．１の内側に向けられた表面２１．４から、付着しているいかなるバルク材も、それを下方に剥離することで除去する。この内側に向けられた表面領域はまた、特に、溝３５も含む。さらに、内側フランジ要素２１．１の内側の上端部に縁部３７．２が配置され、当該縁部３７．２は、コーン弁２２の下方移動中に同様に、コーン弁２２の円筒状部分２２．１の外側に向けられた表面２２．４から、付着しているいかなるバルク材も、いわば上方に剥離することで除去する。このように、コーン弁２２と接続フランジ２１との間にバルク材が全く又はほとんど位置しないため、バルク材容器の閉鎖具３のより優れた密閉性が達成される。
【００９７】
図４及び図５は、本発明の原理をよりよく説明するために単純な概略図を示す。図示するものは、コーン弁の下方円筒状領域２２．２及び接続フランジ２１の上方領域である。円筒状領域２２．２の下端部には、剥離要素３４．１が配置されており、剥離要素３４．１は、ここに示す単純な場合では、断面が三角形状で構成されている。特に、この三角形は、その最長辺が円筒状領域２２．２の上に一体的に形成され、短い方の辺は下方に向けられ、中間の辺は上方に向けられている。この三角形の先端が、周縁部３７．１を形成している。同様に、接続フランジ２１の上端部に剥離要素３４．２が配置され、そこでは、全体がミラー反転式に構成されている。言い換えれば、剥離要素３４．２は、同様に、三角形であるように構成され、その最長辺が接続フランジ２１の上に一体的に形成され、短い方の辺が上方に向けられ、中間の辺が下方に向けられている。この三角形の先端が、周縁部３７．２を形成している。
【００９８】
閉鎖動作中、コーン弁、すなわち円筒状領域２２．２は、このとき、矢印２４の方向及び接続フランジ２１の方向に動かされ、接続フランジ２１はその適所にあり続ける。図４は、接触する直前の２つの要素を示す。円筒状領域２２．２が矢印２４の方向に更に動かされる場合、三角形状の剥離要素３４．１、３４．２の２つの短辺が最初に接触する。これらは弾性材料から形成され、そのため、互いを通過して摺動しかつ円筒状領域２２．２を更に下方に移動させることができるように、変形し及び／又は圧縮される。２つの縁部３７．１、３７．２が互いを通過して摩擦するとすぐに、２つの剥離要素３４．１、３４．２はそれらの元の形状に戻る。この場合、剥離要素３４．１の縁部３７．１は、最初に、剥離要素３４．２の下方に向けられた長辺から、次いで、その下に位置する、接続フランジ２１の内面２１．４から、バルク材又は他の汚染物質を除去する。対応するように、剥離要素３４．２は、最初に、剥離要素３４．１の上方に向けられた長辺、次いで、その上方に位置する、円筒状領域２２．２の外面２２．４を清掃する。言い換えれば、閉鎖位置で互いに対向して位置する２つの表面領域２１．４、２２．４は、閉鎖動作中に同時に清掃される。任意選択的に清掃を更に促進するために、また汚染物質の剥離を繰り返すために、コーン弁をその円筒状領域２２．２とともに更に１回上方に移動させ、その後、再度下方に移動させることができる。この動作を、要求に応じた頻度で繰り返すことができる。この場合、上方移動中、バルク材がバルク材容器から流出してすでに清掃された表面を再度汚染する可能性がある程度までは、閉鎖具は再度開放されない。
【００９９】
図６〜図８は、バルク材容器２が接続されている、本発明によるドッキング装置１の概略図を示す。図６では、バルク材容器２の閉鎖具３は閉鎖状態で示されており、図７では、開放状態で示されている。最後に、図８は、ドッキング装置１の本発明による封止の拡大細部を示す。
【０１００】
ドッキング装置１は、ハウジング５と、接続フランジ８を備える接続部６とを備えている。ハウジング５内には、閉鎖具作動装置が配置されており、閉鎖具作動装置は、モーター１１、伝動ユニット９、アングル歯車１２、駆動スピンドル１３、及び閉鎖作動要素としての持上げコーン１４を備えている。持上げコーン１４は、駆動スピンドル１３の上端に締結されている。持上げコーン１４は、円錐状部分１４．１と、円錐状部分１４．１と底部において隣接する円筒状部分１４．２とを備えている。
【０１０１】
モーター１１は、水平にかつハウジング５の外側に配置されている。伝動ユニット９は、モーター１１をアングル歯車１２に結合し、アングル歯車１２は、例えばウォーム歯車として構成される。モーター１１は、水平軸を中心に回転移動を発生し、この回転移動は、伝動ユニット９によってウォーム歯車に伝達され、ウォーム歯車によって、この場合は垂直方向において、駆動スピンドル１３の軸方向移動に変換される。このように、持上げコーン１４を、垂直移動方向に上下に移動させることができる。しかしながら、モーターを垂直に配置することもでき、その場合、伝動ユニットは、回転移動を駆動スピンドルに線形式に伝達する。
【０１０２】
バルク材容器２は、容器壁２０を備え、接続フランジ２１及びコーン弁２２もまた備えている。接続フランジ２１、コーン弁２２、及び接続部６の接続フランジ８はともに、回転対称に構成され、図６〜図８は、これらの装置を通る概略断面を示す。バルク材容器２の容器壁２０は、接続フランジ２１に締結されている。本例では、容器壁２０は、接続フランジ２１の内側に、接着接合されるか、溶接されるか、堅固に締め付けられるか、又は他の何らかの方法で締結される。容器壁２０はまた、接続フランジ２１の端部側に締結することもできる。コーン弁２２は、円錐状部分２２．１と、円錐状部分２２．１と底部において隣接する円筒状部分２２．２とを備えている。
【０１０３】
持上げコーン１４及びコーン弁２２の形状は、この場合、持上げコーン１４をコーン弁２２に、その中に嵌まるように下方から移動させることができ、それにより、持上げコーン１４によってコーン弁２２を持ち上げることができるように、互いに協働する。
【０１０４】
図６及び図７において、バルク材容器２は、その閉鎖フランジ２１によって閉鎖部６の閉鎖フランジ８に結合される。図６において、コーン弁２２は、更にその閉鎖位置で示されており、そこでは、閉鎖フランジ２１内に配置され、その円筒状部分２２．２によって内部開口部を完全に閉鎖する。この例では、容器壁２０は閉鎖フランジ２１の内側に締結されており、容器壁２０は、コーン弁２２の閉鎖位置で、コーン弁２２と接続フランジ２１との間に位置する。言い換えれば、コーン弁２２は、容器壁２０と直接接触し、したがって、バルク材容器２を閉鎖する。
【０１０５】
図７において、バルク材容器２の閉鎖具３は、開放状態で示されている。言い換えれば、駆動スピンドル１３は、その上端に締結された持上げコーン１４とともに持ち上げられている。その結果、コーン弁２２もまた持ち上げられており、その結果、バルク材容器の接続フランジ２１が接続部６の接続フランジ８に結合されているため、バルク材容器２の接続フランジ２１の開口部が空いた状態になり、バルク材は、ハウジング１を通ってバルク材容器２の内部から流出することができる。ここでは、持上げコーン１４は、上方に移動した駆動スピンドル１３によって持ち上げられているため、バルク材容器２の接続弁２１からコーン弁２２を押し出し、持上げコーン１４自体とともにコーン弁２２を持ち上げることが明確に見える。
【０１０６】
持上げコーン１４と接続部６の接続フランジ８との間の本発明によるシール２６は、図６及び図７では明確に見えず、したがって、図８に拡大して示す。このシール２６は、持上げコーン１４の円筒状部分１４．２の外周部に取り付けられ、したがって、半径方向外側に延在している。図８には、接続部６の接続フランジ８の上側に取り付けられたシール要素２７も見ることができ、シール２６の外周部、すなわちその端部側は、上記シール要素２７と封止するように協働する。このように、持上げコーン１４の閉鎖位置では、持上げコーン１４と接続部６の接続フランジ８との間で、対応する封止作用による特定の半径方向応力が達成される。
【０１０７】
さらに、ドッキング装置１は、ハウジング５に締結される振動ユニット１５を備えている。この振動ユニット１５は、ハウジング５を介して接続部６に、したがって接続フランジ２１、又は接続部６に接続されたバルク材容器２の容器壁２０に伝達される振動をもたらす。このように、バルク材容器は振動し、これは、バルク材を流動化するのに役立ち、したがって、中身空け動作又は充填動作を補助する。
【０１０８】
図９は、結合されたバルク材容器を含まない、本発明による更なるドッキング装置１の概略図を示す。ハウジング５は、この例では開口部が下方に向けられている、フードの形態で構成されている。そして、接続フランジ８を有する接続部６は、ハウジング５の上部領域に形成されている。
【０１０９】
そして、持上げコーン１４は、実質的に円錐状部分１４．１及び円筒状部分１４．２を備え、そこでは、円錐状部分１４．１は平坦化先端を備え、円筒状部分１４．２は、平滑面を有するのではなく、構造化面を有する。特に、円筒状部分１４．２は、シール２６を受け入れる凹部を備えている。シール２６は、１つの部品でも幾つかの部品でも構成することができ、すなわち、互いに対して及び／又は互いの中に同心状に配置される幾つかの環状部品からなることができる。
【０１１０】
更によく理解されるために、図１０に、シール２６を有するドッキング装置１の領域の拡大図を示す。シール２６は、上に幾つかの異なる部分が一体的に形成される基部２８を備えている。基部２８の下端部に、第１の実質的に矩形の部分２９が一体的に形成されている。この部分２９は、持上げコーン１４と、ハウジング１の接続フランジ８、又はハウジング１の接続フランジ８の上に配置される追加のシール要素２７との間に、半径方向シールを提供する。この目的で、部分２９は、部分２９の外周部に、したがってシール２６の外周部に位置する端部領域３０を有する。この端部領域３０は、平坦であり、かつ駆動スピンドル１３、したがって持上げコーン１４の移動方向に対して平行であるものとして、示されている。しかしながら、これは、絶対的にそうである必要はない。端部領域３０はまた、非平坦面を有し、駆動スピンドル１３の移動方向に対して角度をなすこともできる。この半径方向端部領域３０は、持上げコーン１４の閉鎖位置においてシール要素２７のアクティブ領域３２に対向して位置し、当該アクティブ領域３２も同様に、持上げコーン１４の移動方向に対して平行に位置する。部分２９又はシール２６全体の長さ、すなわち、半径方向における長さは、この場合、あり得る最適な封止作用を達成するために有利に選択され、それにより、それは、封止要素２７からの距離より最小限に長い。したがって持上げコーン１４の閉鎖位置では、部分２９は、非常にわずかに圧縮され（図示せず）、その結果、所望の封止作用に対する半径方向応力が達成される。
【０１１１】
シール２６又は封止要素２９は、この場合、閉鎖動作の最後にシール２６が軸方向に変位する結果として、シール２６がシール要素２７に対して半径方向に押圧され、その結果、半径方向応力及び強化された封止作用がもたらされるように、構成されかつ配置される。閉鎖具作動要素の閉鎖動作中、閉鎖具作動要素は、例えば下方に動かされる。シール部分２９は、当然ながらその直径は接続フランジ８の内径より大きく、したがって、接続フランジ８の上縁に存在し、いわば、更なる下方移動中に上方に押しやられる。その後、閉鎖具作動要素は、再度上方にわずかに動かされ、シール部分２９の自由端は、接続フランジの内側の縁に引っかかり、したがって、それ以上上方に移動することができない。このように、シール部分２９の自由端が保持されるため、シール部分２９は、水平位置に移動され、同時に、閉鎖具作動要素の更なる移動によって圧縮され、その結果、特定の封止作用が達成される。これは、当然ながら、他の移動方向でも発生する可能性がある。シール部分２９の周縁自由端が、例えば事前に下方に押しやられる場合、シール部分２９は、更なる下方の移動により、接続フランジの内側の対応する縁に引っかかることができ、その後、対応して、上方から水平位置になるように押圧される。これは、例えば、閉鎖具が事前に結合されており、そのコーン弁がシール部分２９を下方に押し下げている場合に当てはまる。
【０１１２】
さらに、基部２８に２つのリップ３１が一体的に形成され、当該リップは、持上げコーン１４と、接続フランジ８に結合された閉鎖具のコーン弁２２との間に封止を提供する役割を果たす。これを図１１に示す。持上げコーン１４は、同様に、依然としてその閉鎖位置に配置されているが、図１０とは対照的に、図１１は、結合された閉鎖具のコーン弁２２の円筒状部分２２．２を更に示す。他にもあるが特に、コーン弁２２は、上記持上げコーンが調整されるときに、シール２６によって持上げコーンに対して保持される。しかしながら、この目的で、更なる能動的若しくは受動的な保持手段又は締付け手段を提供することもできる。
【０１１３】
シール２６又は部分２９の具体的な構成及び配置は、この場合、接続フランジ８に結合された閉鎖具の円筒状部分２２．２の下端部２２．３が、部分２９を下方に押しやるように選択される。これについては、図１１に同様に容易に見ることができる。具体的には、閉鎖具が結合される場合、特に、バルク材容器を空にするために、すなわち持上げコーン１４が開放位置にあるとき、持上げコーン１４と接続フランジ８との間に封止を提供する必要はなくなる。部分２９が、下方に押しやられるのではなく、むしろ図１０に示すように、持上げコーンから半径方向に突出していた場合、バルク材を空けることを妨げることは事実である。そして、部分２９は、バルク材の流れ領域内に突出し、これは望ましくない。
【０１１４】
しかしながら、シール要素２７は、結合された閉鎖具なしに、持上げコーン１４と接続フランジ８との間に封止を提供するだけでなく、接続フランジ８と接続フランジ８に結合されたバルク材容器の閉鎖具との間に封止を提供する役割も果たす。この目的で、シール要素２７は、例えば厚化部分を備え、この厚化部分は、接続フランジ８の対応する溝内に位置し、この溝内に別個に導入される封止リングと同じ方法で又は同様に作用する。シール要素２７はまた、接続フランジ８と接続フランジ８に結合された閉鎖具との間の封止を促進する更なる構造化を有することもできる。
【０１１５】
図１２は、図９のドッキング装置１の接続部分と、そこに接続された図１の閉鎖具３との拡大図を示す。すでに上述した要素に加えて、図１２は、３つの更なる態様もまた示す。第１に、シール要素２７は、厚化部分３９を備え、厚化部分３９は、上方及び下方に延在し、接続フランジ８及び外側フランジ要素２１．２の対応する溝に延在し、このように、結合された状態の接続フランジ８と外側フランジ要素２１．２との間の封止を促進する。第２に、図１２は、持上げコーン１４の円筒状部分１４．２の外周部に配置される保持装置４０を示し、保持装置４０は、例えば、対応する溝内に導入される。この保持装置は、閉鎖具３の開放及び閉鎖中に持上げコーン１４の上で弁コーン２２を保持するのに役立つ。そして第３に、更なるシール要素２５が示されており、それは、図１２に示すように、閉鎖具３の接続フランジ２１と閉鎖位置にあるコーン弁２２との間に封止を提供する役割を果たす。このシール要素２５は、特に、気体又は液体バルク材が処理されるよう意図される場合に有利である。さらに、このシール要素２５は、例えばエラストマー等、弾性変形可能な材料から製作される。本例の場合のように、２部品接続フランジ２１の場合、シール要素２５は、したがって、内側フランジ要素２１．１の内側に配置される。好ましくは、シール要素２５は、フランジ要素２１．１の下端部に配置される。しかしながら、シール要素２５は、円筒状部分２２．１の外側に向けられた表面２２．４に取り付けることもできる。最初に言及した位置では、このシール要素２５は、接続フランジ２１とコーン弁２２との間だけでなく、閉鎖具３が接続部６に結合されたとき、閉鎖具３の接続フランジ２１とドッキング装置の接続フランジ８との間にも封止を提供することができる。
【０１１６】
図１３及び図１４は、本発明による更なる閉鎖具３の概略図を示す。この例では、閉鎖具３は、分離装置４１を備えている。図１３は、ドッキング装置に結合された閉鎖具３を示し、図１４は、ドッキング装置から分離された状態の閉鎖具３を示す。
【０１１７】
ドッキング装置の接続フランジ８は、持上げコーン１４が、接続フランジ８の貫通開口部を閉鎖するその閉鎖位置にあるように示されている。持上げコーン１４の下側には、駆動スピンドル１３が締結され、駆動スピンドル１３により、持上げコーン１４は、駆動スピンドル１３の軸方向に移動可能である。閉鎖具３もまた示されており、それは、２つのフランジ要素２１．１、２１．２から作製された接続フランジ２１、及びコーン弁２２もまた備え、コーン弁２２は、同様にその閉鎖位置で示されており、すなわち、内側フランジ要素２１．１の内部を完全に閉鎖する。
【０１１８】
分離装置４１は、持上げコーン１４の内部に又は内側に完全に配置される機構である。それは、１つ又は複数のプランジャー４３を備え、プランジャー４３は、持上げコーン１４と同じ移動方向に、すなわち、駆動スピンドル１３の方向に、したがって接続フランジ８の貫通開口部に対して垂直に、持上げコーン１４に対して移動可能である。プランジャー４３は、例えば、持上げコーン１４のハウジング内で、移動方向においてのみ移動することができるように案内される。プランジャー４３はまた、通常、内側に（図によれば下方に）移動しており、持上げコーン１４内に完全に位置する、受動位置に位置するように配置される。プランジャー４３は、外側に（図によれば上方に）動かされると、プランジャー４３の上端が持上げコーン１４から出るように移動し、このように、閉鎖具３全体と合わせてコーン弁２２を、持上げコーン１４から、したがって接続フランジ８又はドッキング装置全体から離れるように押す。言い換えれば、ドッキング装置及び閉鎖具３は、このように互いから分離される。
【０１１９】
図１３は、プランジャー４３が後退しているそれらの受動位置にある状態を示す。コーン弁２２は、持上げコーン１４の上に直接載っている。図１４において、対照的に、プランジャー４３は伸長しており、コーン弁２２は、持上げコーン１４から持ち上げられている。
【０１２０】
プランジャー４３は、空気圧式、液圧式、電気式又は他の何らかの適切な方法で構成される駆動装置によって動かされる。空気圧駆動装置が適しており、それは、空気圧式気体装置は、こうしたドッキング装置にはすでに存在することが多いためである。
【０１２１】
図１５及び図１６は、持上げコーン１４の円筒状領域１４．２に剥離要素３４．１が配置されている変形実施形態の単純な概略図を示す。さらに、接続フランジ２１の上端部に剥離要素３４．２が配置されている。それぞれの縁部３７．１及び３７．２を備える剥離要素３４．１、３４．２が機能する方法は、図４及び図５に示す、剥離要素３４．１がコーン弁に配置される変形実施形態と同じである。
【０１２２】
図１７は、図１５及び図１６に示すような一実施形態の細部の図を示す。剥離要素３４．１は、半径方向外側に向けられたシール部分２９を有するシール２６の真下において持上げコーン１４に配置されている。剥離要素３４．１は、接続フランジ２１．１の内側２１．４に向けられた正面領域に三角形状を有する。この三角形の先端が周縁部３７．１を形成している。上述した実施形態とは対照的に、この三角形は、２つの等しく長い辺を有する。接続フランジ２１．１の上端部に第２の剥離要素３４．２が配置されており、第２の剥離要素３４．２は更に周縁部３７．２を有する。
【０１２３】
剥離要素３４．１の機能は、図３に示すように、剥離要素３４．１がコーン弁２２に配置される変形実施形態と同じである。持上げコーン１４が下方に動かされると、剥離要素３４．１は、内側フランジ要素２１．１の内側に向けられた表面２１．４から、付着しているいかなるバルク材も、それを下方に剥離することで除去する。剥離要素３７．２は、コーン弁２２の外側に向けられた表面２２．４から、付着しているいかなるバルク材も、それを底部から頂部まで剥離することで除去する。
【０１２４】
図１８は、剥離要素３４．１がシール２６に一体化されているか又はその一部である、更なる変形実施形態を示す。これは、シール２６のシール部分２９の正面部が剥離機能を呈することを意味する。正面部は、好ましくは、シール２６の残りの部分より剛性の高い材料から製作される。例えば、正面部は、硬質プラスチック材料からなり、シール２６の弾性鋼材料に鋳造されている。シール部分２９が、剥離機能を呈することは絶対的に必要であるとは限らない。剥離要素は、シール２６の他のいずれかの部分に配置することもできる。
【０１２５】
更なる変形実施形態では、フランジ要素２１．１に剥離要素が取り付けられておらず、したがって、持上げコーン１４に取り付けられた剥離要素３４．１のみが存在することが可能である。
【０１２６】
要約すると、本発明により、バルク材容器、及びバルク材を空けるか又は充填する装置用の閉鎖具を、その密閉性が向上するため、更に改善することができることを述べることができる。これは、バルク材容器が装置に接続されていないときと接続されているときとの両方に当てはまる。密閉性の向上は、特に、例えば、有毒なバルク材若しくは食品を含むバルク材における場合、又は薬剤の場合、又は特定の環境が他の何らかの理由で適用される場合のように、衛生状態又は清潔さからなる要件が増大した場合に重要である。
【図１】
0006770893.tif 000002
【図２】
0006770893.tif 000003
【図３】
0006770893.tif 000004
【図４】
0006770893.tif 000005
【図５】
0006770893.tif 000006
【図６】
0006770893.tif 000007
【図７】
0006770893.tif 000008
【図８】
0006770893.tif 000009
【図９】
0006770893.tif 000010
【図１０】
0006770893.tif 000011
【図１１】
0006770893.tif 000012
【図１２】
0006770893.tif 000013
【図１３】
0006770893.tif 000014
【図１４】
0006770893.tif 000015
【図１５】
0006770893.tif 000016
【図１６】
0006770893.tif 000017
【図１７】
0006770893.tif 000018
【図１８】
0006770893.tif 000019